(57)【要約】【課題】軒樋止まりに降りかかる雨水の垂れ落ちを防ぐとともに、後耳が後耳係止部から外れるのを防ぐことができる軒樋止まりを提供する。【解決手段】前耳５１と後耳５２とを備えた軒樋５の開口端に装着される軒樋止まりであって、該軒樋止まりＡは、板状の止まり本体１と、この止まり本体１に延設され、軒樋５に内嵌する内嵌部２と、この内嵌部２の前方端部に連接される前耳嵌合凹部３と、ガイドリブ４とからなり、該内嵌部２は、前方側壁２１、底面２２、および後方側壁２３から構成されるとともに、後方端部は、上記ガイドリブ４と共に後耳５２を係止する後耳係止部２３１が設けられている。【選択図】図１
2004285601.tif 000002
【特許請求の範囲】
【請求項１】
前耳と後耳とを備えた軒樋の開口端に装着される軒樋止まりであって、該軒樋止まりは、板状の止まり本体と、この止まり本体に延設され軒樋に内嵌する内嵌部と、この内嵌部の前方端部に連接される前耳嵌合凹部と、ガイドリブとからなり、該内嵌部は、前方側壁、底面、および後方側壁から構成されるとともに、該内嵌部の後方端部には、上記ガイドリブと共に後耳を係止する後耳係止部が設けられていることを特徴とする軒樋止まり。
【請求項２】
上記前耳嵌合凹部の天面は、上記軒樋の前耳を覆うように張り出すとともに内側に傾斜し、その幅方向端部が斜めにカットされた請求項１に記載の軒樋止まり。
【請求項３】
上記ガイドリブが下方に向かって鋭角の形状を有する楔形である請求項１に記載の軒樋止まり。
【請求項４】
上記軒樋が弾性を有する合成樹脂からなる請求項１に記載の軒樋止まり。
【請求項５】
上記内嵌部の前方側壁の軒樋当接面には、接着剤を溜める溝部が設けられている請求項１に記載の軒樋止まり。
【発明の詳細な説明】
【０００１】
【発明の属する技術分野】
本発明は、軒樋止まりに関する。さらに詳しくは、軒樋の開口端に装着されて、軒樋内に集められた雨水がこぼれ落ちないように塞ぐ軒樋止まりに関する。
【０００２】
【従来の技術】
従来、軒樋止まりに関しては、種々の先行技術が知られている（特許文献１、２、３参照。）。
【０００３】
【特許文献１】
特開平８−３２６２４１号公報（第１−３頁、第４図）
【特許文献２】
特開２０００−２８２６３７号公報（第１−３頁、第１図）
【特許文献３】
特開平１１−１００９５４号公報（第１−４頁、第１図）
【０００４】
【発明が解決しようとする課題】
近年、強度、弾性、成形性等、諸物性に優れた合成樹脂、例えば、硬質塩化ビニル樹脂、アクリル樹脂、ポリカーボネート樹脂等が容易に入手可能となり、これらを用いた軒樋装置が提案されている。軒樋装置の中でも、軒樋の左右の開口端に装着される軒樋止まりは、上記樹脂から構成された軒樋自身が弾性係止して用いられ、例えば、従来公知の軒樋止まりとしては、本願図５に示すものが知られている。
【０００５】
本願図５からよくわかるように、前耳５１と、後耳５２とを有する軒樋５に装着される軒樋止まりＢは、板状の止まり本体１と、この止まり本体１に延設され、軒樋５に内嵌する内嵌部６とからなるとともに、この内嵌部６は、軒樋５の内周形状にほぼ符合する外周形状を有している。また、この内嵌部６の前方端部は、上記前耳５１を係止する前耳係止部６１とされ、後方端部は、後耳５２を係止する後耳係止部６２とされている。
【０００６】
しかしながら、上記構成の軒樋止まりＢにおいては、上記前耳係止部６１に係止された前耳５１に降りかかる雨水は、軒樋５に流入することなく垂れ落ちるという問題がある。また、前耳５１と前耳係止部６１との係止、および後耳５２と後耳係止部６２との係止は、単に軒樋５の弾性を利用した弾性係止のみであるため、とくに、後耳５２が外れ易いという問題もある。本発明はこのような問題を解決するためになされたものであって、軒樋止まりに係止された軒樋の前耳からの雨水の垂れ落ちを防ぐとともに、後耳が後耳係止部から外れるのを防ぐことができる軒樋止まりを提供することを、その課題とする。
【０００７】
【課題を解決するための手段】
本発明は、上記課題を解決するために考え出されたものであって、つぎのような技術的手段を講じている。すなわち、本発明によれば、前耳と後耳とを備えた軒樋の開口端に装着される軒樋止まりであって、該軒樋止まりは、板状の止まり本体と、この止まり本体に延設され軒樋に内嵌する内嵌部と、この内嵌部の前方端部に連接される前耳嵌合凹部と、ガイドリブとからなり、該内嵌部は、前方側壁、底面、および後方側壁から構成されるとともに、該内嵌部の後方端部には、上記ガイドリブと共に後耳を係止する後耳係止部が設けられていることを特徴とする軒樋止まりが提供される。このようにすることによって、軒樋止まりに降りかかる雨の垂れ落ちを防ぐとともに、後耳が後耳係止部から外れるのを防ぐことができる。
【０００８】
上記前耳嵌合凹部の天面は、上記軒樋の前耳を覆うように張り出すとともに内側に傾斜し、その幅方向端部が斜めにカットされることが好ましい。このようにすることによって、内側に傾斜しながら下部に拡がる上記天面が、軒樋の前耳を覆い、軒樋止まりに降りかかる雨の垂れ落ちを防ぐとともに、軒樋内にスムースに雨水を流し込む。
【０００９】
上記ガイドリブが下方に向かって鋭角の形状を有する楔形とすることが好ましい。このようにすることによって、上記内嵌部を軒樋に内嵌するとき、後耳が鋭角部に沿ってスムースに進入し、また、係止後は、このガイドリブがストッパーの役目を果たすため、後耳が後耳係止部から外れることを有効に防ぐ。
【００１０】
上記軒樋が弾性を有する合成樹脂から構成されることが好ましい。例えば、硬質塩化ビニル樹脂、アクリル樹脂、ポリカーボネート樹脂等の成形品を軒樋とすることにより、軒樋自身が弾性復帰力を有するため、前耳、後耳を介して、軒樋止まりの内嵌部にしっかりと、弾性係止することができる。
【００１１】
上記内嵌部の前方側壁の軒樋当接面には、接着剤を溜めるための溝部が設けられることが好ましい。この溝部に接着剤を塗り付けて上記内嵌部を軒樋に内嵌することにより、上記した前耳と後耳を介しての係止に、接着力が加わるため、軒樋止まりを軒樋の開口端にさらに、しっかりと装着することができる。
【００１２】
【発明の実施の形態】
以下、本発明の好ましい実施の形態について、図面を参照して詳細に説明する。図１は、弾性を有する合成樹脂から構成された軒樋５の、向かって左側の端部に装着される本発明の軒樋止まりＡを示す斜視図であり、図２は、軒樋の内部からみた軒樋止まりＡの正面図である。図１、図２からよくわかるように、軒樋止まりＡは、板状の止まり本体１と、この止まり本体１に延設され、軒樋５に内嵌する内嵌部２と、この内嵌部２の前方端部に連接された前耳嵌合凹部３と、ガイドリブ４とから構成される。
【００１３】
内嵌部２は、前方側壁２１、底面２２、および後方側壁２３から構成されるとともに、軒樋５の内周形状にほぼ符合する外周形状を有しており、この内嵌部２の前方端部には軒樋の前耳５１と嵌合する前耳嵌合凹部３が連接され、後方端部は、上記ガイドリブ４と共に後耳５２を係止する後耳係止部２３１が設けられている。前耳嵌合凹部３の天面３１は、前耳５１を覆うように張り出し、内側に傾斜している。
【００１４】
上記前耳嵌合凹部３には、軒樋５の前耳５１が嵌合するとともに、後耳係止部２３１は、ガイドリブ４と共に軒樋５の後耳５２を挟持するように係止する。このとき、ガイドリブ４は、下方に向かって鋭角の楔形とされているとともに、軒樋５の厚みに相当する分だけ外側にずらせて設けられているため、後耳５２が鋭角部に沿ってスムースに進入し、また、係止後は、後耳５２が後耳係止部２３１から外れることを防ぐ。このようにすることにより、軒樋５は、その弾性復帰力も加わって、前耳５１と、後耳５２とを介して、しっかりと内嵌部２に弾性係止される。かくして、軒樋５の左端部に軒樋止まりＡが装着され、板状の止まり本体１が軒樋５の開口端を塞ぎ、軒樋内に集められた雨水は、こぼれ落ちることなく、図示しない竪樋に流される。
【００１５】
図３に、軒樋止まりＡの平面図を示す。図１、図２、図３からよくわかるように前耳嵌合凹部３の天面３１は、前耳５１を覆うように張り出し、内側に傾斜するとともに、その幅方向の端部が、図３に示すように斜めにカットされている。
このようにすることにより、内側に傾斜しながら拡がる天面３１は、軒樋止まりＡに降りかかる雨の垂れ落ちを防ぐとともに、軒樋５内に雨水をスムースに流し込むことができる。
【００１６】
図４は、軒樋止まりＡの左側面図を示す。図４は、また、上記内嵌部２の前方側壁２１の正面図でもあり、図４によく示されているように、前方側壁２１の軒樋当接面には、接着剤を溜めるためのＶ字型の溝部２１１が設けられている。このとき、溝部２１１に接着剤を塗り付けて軒樋止まりＡを軒樋５に内嵌することにより、既述した前耳５１と後耳５２による係止に、接着力が加わるため、軒樋止まりＡを軒樋５の開口端にしっかりと装着することができる。
【００１７】
【発明の効果】
以上述べたように、請求項１に記載の発明は、前耳５１と後耳５２とを備えた軒樋５の開口端に装着される軒樋止まりＡであって、該軒樋止まりＡは、板状の止まり本体１と、この止まり本体１に延設され、軒樋５に内嵌する内嵌部２と、この内嵌部２の前方端部に連接される前耳嵌合凹部３と、ガイドリブ４とからなり、該内嵌部２は、前方側壁２１、底面２２、および後方側壁２３から構成されるとともに、後方端部には上記ガイドリブ４と共に後耳５２を係止する後耳係止部２３１が設けられていることを特徴とする軒樋止まりが提供される。このようにすることによって、軒樋止まりＡに降りかかる雨の垂れ落ちを防ぐとともに、後耳５２が後耳係止部２３１から外れるのを防ぐことができる。
【００１８】
請求項２に記載の発明は、上記前耳嵌合凹部３の天面３１は、上記軒樋５の前耳５１を覆うように張り出すとともに内側に傾斜し、その幅方向端部が斜めにカットされる。このようにすることによって、請求項１に記載の発明の効果に加えて、内側に傾斜しながら下部に拡がる上記天面３１が、軒樋５の前耳５１を覆い、軒樋止まりＡに降りかかる雨の垂れ落ちを防ぐとともに、軒樋５内にスムースに雨水を流し込むという効果が得られる。
【００１９】
請求項３に記載の発明は、上記ガイドリブ４が下方に向かって鋭角の形状を有する楔形とされる。このようにすることによって、請求項１に記載の発明の効果に加えて、上記内嵌部２を軒樋５に内嵌するとき、後耳５２が鋭角部に沿ってスムースに進入し、また、係止後は、このガイドリブ４がストッパーの役目を果たすため、後耳５２が後耳係止部２３１から外れることを有効に防ぐ。
【００２０】
請求項４に記載の発明は、上記軒樋５が弾性を有する合成樹脂から構成される。例えば、硬質塩化ビニル樹脂、アクリル樹脂、ポリカーボネート樹脂等の成形品を軒樋５とすることにより、請求項１に記載の発明の効果に加えて、軒樋自身が弾性復帰力を有するため、前耳５１、後耳５２を介して、軒樋止まりの内嵌部２にしっかりと、弾性係止することができる。
【００２１】
請求項５に記載の発明は、上記内嵌部２の前方側壁２１の軒樋当接面に、接着剤を溜めるための溝部２１１が設けられる。この溝部２１１に接着剤を塗り付けて軒樋止まりの内嵌部２を軒樋５に内嵌することにより、請求項１に記載の発明の効果に加えて、上記した前耳５１と後耳５２を介しての係止に、接着力が加わるため、軒樋止まりＡを軒樋５の開口端にさらに、しっかりと装着することができる。
【図面の簡単な説明】
【図１】軒樋の向かって左側の開口端に装着される本発明の軒樋止まりを示す斜視図である。
【図２】図１に示す軒樋止まりを、軒樋内部からみた正面図である。
【図３】図１に示す軒樋止まりの平面図である。
【図４】図１に示す軒樋止まりの左側面図である。
【図５】従来公知の軒樋止まりを示す斜視図である。
【符号の説明】
Ａ        本発明にかかる軒樋止まり
１        止まり本体
２        内嵌部
２１      前方側壁
２１１    Ｖ字型溝部
２２      底面
２３      後方側壁
２３１    後耳係止部
３        前耳嵌合凹部
３１      天面
４        ガイドリブ
５        軒樋
５１      前耳
５２      後耳
Ｂ        公知の軒樋止まり
６        内嵌部
６１      前耳係止部
６２      後耳係止部
【図１】
2004285601.tif 000003
【図２】
2004285601.tif 000004
【図３】
2004285601.tif 000005
【図４】
2004285601.tif 000006
【図５】
2004285601.tif 000007